(57)【特許請求の範囲】
【請求項１】
固定面側となる外側面とは逆側の内側面に、縦枠材の端の略中央に突設されたほぞに嵌合されるほぞ受け溝が形成され、前記縦枠材を接合可能にした水平枠材であって、
少なくとも一方の側面の略中央に水平外向きで長手方向に延びる凸条を一体に設けるように、前記一方の側面の外側面側の角部及び内側面側の角部を長手方向に沿って切り欠いて、前記凸条と前記外側面との間に、配線を水平に収納可能な断面Ｌ字状のくぼみを長手方向に沿って形成するとともに、前記凸条と前記内側面との間に、鉛直に配置されたボードの端部を受け入れる別の断面Ｌ字状のくぼみを長手方向に沿って形成し、さらに、前記配線が収納されたくぼみ及び前記ボードの端部を受け入れる別のくぼみは、壁面と床下地材に沿うようにして取付けられる脱着自在の１枚の巾木、又は壁面と天井に沿うようにして取付けられる１枚の廻縁によって覆われてなり、しかも前記凸条は、前記巾木又は廻縁の固定のためのねじ釘のねじ込み位置として利用されることを特徴とする水平枠材。
【発明の詳細な説明】
【０００１】
【発明の属する技術分野】
本発明は、住宅・事務所等の建物の、例えば床下地材や天井に固定され、立設された縦枠材が接合される水平枠材に関する。
【０００２】
【従来の技術】
従来、住宅・事務所等の建物に設置される間仕切り壁として、図５に示すように、床下地材と天井にそれぞれ固定された製材製品（無垢材）である水平枠材３，３、その水平枠材３，３間に後述するように立設、接合された、同じく製材製品である複数本の縦枠材４、水平枠材３，３及び縦枠材４によって形成される枠状体の両面に張付けられた石膏ボードＢ等よりなる壁面、その壁面と床下地材に沿うように上側の水平枠材３の側面に取付けられた巾木５、及び壁面と天井に沿うように下側の水平枠材３の側面に取付けられた廻縁６によって構成されたものが知られている。
【０００３】
なお、水平枠材３にはほぞ受け溝Ｇが設けられると共に、縦枠材４の両端の略中央には、ほぞ受け溝Ｇに嵌合可能なほぞＰがそれぞれ設けられていて、対応する水平枠材３，３のほぞ受け溝Ｇに嵌合されることにより、複数本の縦枠材４が両水平枠材３，３と接合されるよう構成されている。
【０００４】
しかし、通常縦枠材４は３００〜４５０ｍｍ間隔で立設されており、水平方向の配線が必要な場合は、縦枠材４を横断させる必要があるために、配線用の穿孔が必要であり、それに伴う工数の増加、縦枠材強度の低下が起こる。それを避けるため、天井裏から配線を下ろそうとすると作業者が天井裏に上がる必要があり、極めて面倒であるという問題点がある。
その対策として、図６に示すように、内面に配線Ｗの収納用のくぼみ５１を備えた巾木５０（又は廻縁）にそれを脱着自在に壁面に固定するための受け具５５が組み合わされたものが使用されている。受け具５５は、壁面にネジ釘等により固定される基板５６に複数の拡縮可能なバネ状の突起等５７が一体に設けられていて、その突起等５７に巾木５０（又は廻縁）のくぼみ５１が外嵌されるよう構成されている。
【０００５】
【発明が解決しようとする課題】
しかしながら、上記対策も、受け具に伴うコスト上昇及び適合する巾木５０（又は廻縁）の選定上の制約がある他、図７に示すように、入隅の壁面Ｂへの適用が取付け上困難であるという問題点がある。
【０００６】
そこで本発明の目的は、上記従来例のそれぞれの欠点を解消した、水平配線が容易であり、且つ構造が簡単で安価な水平枠材を提供することにある。
【０００７】
【課題を解決するための手段】
上記の目的を達するために、請求項１に記載の発明である水平枠材は、固定面側となる外側面とは逆側の内側面に、縦枠材（４）の端の略中央に突設されたほぞ（Ｐ）に嵌合されるほぞ受け溝（Ｇ）が形成され、縦枠材（４）を接合可能にした水平枠材であって、少なくとも一方の側面の略中央に水平外向きで長手方向に延びる凸条（Ｌ）を一体に設けるように、前記一方の側面の外側面側の角部及び内側面側の角部を長手方向に沿って切り欠いて、凸条（Ｌ）と外側面との間に、配線（Ｗ）を水平に収納可能な断面Ｌ字状のくぼみ（Ｈ１）を長手方向に沿って形成するとともに、凸条（Ｌ）と内側面との間に、鉛直に配置されたボード（Ｂ）の端部を受け入れる別の断面Ｌ字状のくぼみ（Ｈ２）を長手方向に沿って形成し、さらに、前記配線（Ｗ）が収納されたくぼみ（Ｈ１）及び前記ボード（Ｂ）の端部を受け入れる別のくぼみ（Ｈ２）は、壁面と床下地材に沿うようにして取付けられる脱着自在の１枚の巾木（５）、又は壁面と天井に沿うようにして取付けられる１枚の廻縁（６）によって覆われてなり、しかも前記凸条（Ｌ）は、前記巾木（５）又は廻縁（６）の固定のためのねじ釘のねじ込み位置として利用されることを特徴とするものである。
【０００９】
なお、上記の課題を解決するための手段に記載された括弧内の記号は図面及び後述する発明の実施の形態に記載された記号に対応するものである。
【００１０】
本発明によれば、水平枠材の固定面側となる外側面側の角部が切り欠かれるだけで、配線を収納可能なくぼみが形成されるため、巾木（又は廻縁）も市販のものが使用可能であり、それに伴うコスト上昇が殆どなく、構造が簡単で安価である。しかも配線が収納されたくぼみは従来と同様の脱着自在の巾木（又は廻縁）によって覆われるため、それによって外観が損なわれることもない。
【００１１】
また本発明によれば、水平枠材の外側面側の角部が切り欠かれて配線が収納可能なくぼみが形成されるのに加えて、切り欠かれた角部とは逆側の角部である内側面側の角部を切り欠くだけで鉛直なボードの端部を受け入れるくぼみを形成することができるので、それにともなうコスト上昇が殆どなく、構造が簡単で安価である。
【００１２】
しかも、凸条及びボード端部を穿孔（切り欠き）することにより、鉛直方向の配線も可能となる。また、その穿孔（切り欠き）部分は巾木（又は廻縁）によって覆われるため外観上何らの支障もない。そのうえ、凸条は巾木（又は廻縁）の固定のためのねじ釘のねじ込み位置として利用可能である。
【００１３】
【発明の実施の形態】
本発明の第１の実施の形態例について図面を参照して説明する。図１は本発明の第１の実施の形態例が間仕切り壁に適用された状態を示す断面図、図２は図１の枠状体部分のみを示す斜視図、及び図３は図２の一方の側面にボードが張られた状態を示す斜視図である。
【００１４】
本発明の実施の形態例に係わる水平枠材は、例えば住宅・事務所等の建物内に設置される間仕切り壁の内部構造の１つの部材として、床下地材と天井に固定されるものであって、次のように構成される。
【００１５】
すなわち、水平枠材３０は製材製品（無垢材）であって、固定面側となる外側面とは逆側の内側面の略中央にはほぞ受け溝Ｇが形成され、同じく製材製品（無垢材）の縦枠材４の端の略中央に突設されたほぞＰに嵌合して縦枠材４を立設した状態で接合するようになっている。なお、上側の水平枠材３０において、ほぞ受け溝Ｇが形成された内側面は下面であり、下側の水平枠材３０において内側面は上面になっている。
【００１６】
そのうえ、両側面の略中央にはそれぞれ水平外向きで長手方向（水平枠材３０が延びる方向）に延びる凸条Ｌを一体に設けるように、両側面の外側面側の角部及び内側面側の角部を長手方向に沿って切り欠いてある。
これにより、凸条Ｌと外側面との間に、配線Ｗを水平に収納可能な断面Ｌ字状のくぼみＨ１が長手方向に沿って形成されるとともに、凸条Ｌと内側面との間に、鉛直に配置されたボードＢの端部を受け入れる別の断面Ｌ字状のくぼみＨ２が長手方向に沿って形成されたものである。
【００１７】
間仕切り壁は、次のように施工される。すなわち、先ず上記水平枠材３０，３０及びその間に挿入、立設、接合された複数本の縦枠材４によって枠状体が形成される。次いでその枠状体の各側面に鉛直な石膏ボードＢが張られ、その各端部がほぞＰの嵌合部に近い側のＬ字状くぼみＨ２に嵌込まれ、釘等Ｎで固定され、さらに必要に応じてほぞＰの嵌合部から遠い側のＬ字状くぼみＨ１に配線Ｗが水平に収納される。最後にその壁面の床下地材、天井に沿う部分にそれぞれ巾木５、廻縁６がねじ釘等を介して取付けられることによって、間仕切り壁が完成する。
【００１８】
このような構成によれば、各水平枠材３０の固定面側となる外側面側の角部及び内側面側の角部が切り欠かれるだけで、配線Ｗを収納可能なくぼみＨ１及び鉛直なボードＢの端部を受け入れ、且つ固定可能なくぼみＨ２が形成されるため、巾木５又は廻縁６も市販のものが使用可能であり、それに伴うコスト上昇が殆どなく、構造が簡単で安価である。しかも配線Ｗが収納されたくぼみＨ１は脱着自在の巾木５又は廻縁６によって覆われるため、それによって外観が損なわれることもない。
【００１９】
しかも、凸条Ｌ及びボードＢ端部の穿孔（又は切り欠き）により、鉛直方向の配線も可能となる。また、その穿孔（又は切り欠き）部分は巾木５又は廻縁６によって覆われるため外観上何らの支障もない。そのうえ、凸条Ｌは巾木５又は廻縁６の固定のためのねじ釘等Ｎ１のねじ込み位置として利用可能である。
【００２０】
第２の実施の形態例として、図４に、水平枠材３１，３１の一方の側にのみ凸条Ｌ及びくぼみＨ１，Ｈ２が形成されたものが示されている。これは一方の側が上記第１の実施の形態例と同様に構成され、他方の側が従来例と同様に構成されたものであって、一方の側のみその作用効果が上記第１の実施の形態例と同等である。
【００２１】
【発明の効果】
本発明によれば、水平枠材の固定面側となる外側面側の角部が切り欠かれるだけで、配線を収納可能なくぼみが形成されるため、巾木（又は廻縁）も市販のものが使用可能であり、それに伴うコスト上昇が殆どなく、構造が簡単で安価である。しかも配線が収納されたくぼみは従来と同様の脱着自在の巾木（又は廻縁）によって覆われるため、それによって外観が損なわれることもない。
【００２２】
また本発明によれば、水平枠材の外側面側の角部が切り欠かれて配線が収納可能なくぼみが形成されるのに加えて、切り欠かれた角部とは逆側の角部である内側面側の角部を切り欠くだけで鉛直なボードの端部を受け入れるくぼみを形成することができるので、それにともなうコスト上昇が殆どなく、構造が簡単で安価である。
【図面の簡単な説明】
【図１】本発明の第１の実施の形態例が間仕切り壁に適用された状態を示す断面図である。
【図２】図１の要部を示す斜視図である。
【図３】図２の一方の側面にボードが張られた状態を示す斜視図である。
【図４】本発明の第２の実施の形態例の要部を示す斜視図である。
【図５】従来例が間仕切り壁に適用された状態を示す断面図である。
【図６】従来例に適用される配線を収納可能な巾木を示す断面図である。
【図７】図６の巾木が入隅の壁面に取付けられた状態を示す平面図である。
【符号の説明】
３      水平枠材
４      縦枠材
５      巾木
６      廻縁
３０      水平枠材
３１      水平枠材
５０      巾木
５１      くぼみ
５５      受け具
５６      基板
５７      突起等
Ｂ        石膏ボード
Ｇ        ほぞ受け溝
Ｈ１      くぼみ
Ｈ２      くぼみ
Ｌ        凸条
Ｎ        釘等
Ｎ１      ねじ釘等
Ｐ        ほぞ
Ｗ        配線
【図１】
0004288387.tif 000002
【図２】
0004288387.tif 000003
【図３】
0004288387.tif 000004
【図４】
0004288387.tif 000005
【図５】
0004288387.tif 000006
【図６】
0004288387.tif 000007
【図７】
0004288387.tif 000008